(57)【要約】【課題】遊技者にとってリーチ演出、大当たり演出などの表示が見づらくなく、しかも、遊技者がリアル感をもちながら遊技を行うことができるパチンコ遊技機を提供すること。【解決手段】パチンコ遊技機は、遊技盤１の盤面上における実際の遊技球の挙動を検出するための遊技球位置検出手段３１と、遊技盤１の前方に配され、遊技盤１の盤面構成に対応する、可変表示部４３を含む盤面画像４１，４２，４３を表示するとともに、遊技球位置検出手段３１による遊技球位置情報にしたがい、実際の遊技球の挙動に対応する遊技球挙動画像４４を盤面画像４１，４２，４３に重ねて表示する表示パネル４とを備える。【選択図】図１
2005198889.tif 000002
【特許請求の範囲】
【請求項１】
遊技盤の盤面上における実際の遊技球の挙動を検出するための遊技球位置検出手段と、  
前記遊技盤の前方に配され、該遊技盤の盤面構成に対応する盤面画像を表示するとともに、前記遊技球位置検出手段による遊技球位置情報にしたがい、実際の遊技球の挙動に対応する遊技球挙動画像を前記盤面画像に重ねて表示する表示パネルと
を備えることを特徴とするパチンコ遊技機。
【請求項２】
前記遊技球位置検出手段は、前記遊技盤の盤面に配設したセンサ部材からなることを特徴とする請求項１記載のパチンコ遊技機。
【発明の詳細な説明】
【技術分野】
【０００１】
本発明は、パチンコ遊技機、特に、遊技盤の実際の盤面構成に対応する盤面画像を表示するとともに、実際の盤面における遊技球の実際の挙動に対応する遊技球画像を盤面画像に重ねて表示する表示パネルを有するパチンコ遊技機に関する。
【背景技術】
【０００２】
近年、パチンコ遊技機の遊技盤の中央部に配され、リーチ演出、大当たり演出などを行なう可変表示装置の表示画面を拡大化することが望まれている。しかし、単に表示画面を拡大化すると、釘、風車、入賞口などが設けられ遊技球に複雑な落下運動（挙動）をさせながら入賞口又はアウト口へ誘導する遊技領域が縮小化されることとなる。そこで、表示画面及び遊技領域の両方の拡大化を図るためのパチンコ遊技機として、表示画面の前に透明板を配し、この透明板に釘等の案内部材を設け遊技球を通過可能に構成することにより、表示画面と遊技領域の両方を兼ねる領域を形成するようにしたパチンコ遊技機が提案されている（例えば、特許文献１参照）。
【特許文献１】特開平１０−２７２２３１号公報
【発明の開示】
【発明が解決しようとする課題】
【０００３】
しかし、上記従来技術によると、表示画面の前に設けられた釘等の案内部材や表示画面の前を通過する遊技球によって表示画面による表示が遮られ、遊技者にとって表示が見づらくなるという問題がある。
【０００４】
一方、テレビゲームのように、釘、風車、入賞口などからなる盤面構成、及び、遊技球を画面上に表示し、一連の遊技を画面上で行うものがある。しかし、このようなゲームは、実際に遊技球を発射するわけではなく、実際の遊技球の挙動に関連付けて表示を行なうものではないため、リアル感に欠けるという問題がある。
【０００５】
本発明は、上記のような従来技術の問題点を解決し、遊技者にとってリーチ演出、大当たり演出などの表示が見づらくなく、しかも、遊技者がリアル感をもちながら遊技を行うことができるパチンコ遊技機を提供することを目的とする。
【課題を解決するための手段】
【０００６】
本発明のパチンコ遊技機は、遊技盤の盤面上における実際の遊技球の挙動を検出するための遊技球位置検出手段と、前記遊技盤の前方に配され、該遊技盤の盤面構成に対応する盤面画像を表示するとともに、前記遊技球位置検出手段による遊技球位置情報にしたがい、実際の遊技球の挙動に対応する遊技球挙動画像を前記盤面画像に重ねて表示する表示パネルとを備えることを特徴とする。
【０００７】
本発明のパチンコ遊技機は、遊技盤の盤面の前方に位置する表示パネルに、盤面画像と遊技球挙動画像を表示するようにした。このため、遊技球は表示パネルが表示している盤面画像の後方を通過することになり、盤面画像における可変表示部の表示が遊技球によって見づらくなる不具合を解消することができる。また、実際の遊技球の挙動に基づいて表示パネルに遊技球挙動画像を表示するようにしたため、遊技球挙動画像は実際の遊技球の挙動に対応したものとなり、遊技者はリアル感をもちながら遊技を行うことができる。
【０００８】
前記遊技球位置検出手段は、前記遊技盤の盤面に配設したセンサ部材からなる。センサ部材は、例えば、反射式のフォトセンサである。
【発明を実施するための最良の形態】
【０００９】
以下、本発明の実施形態を図面に基づいて説明する。
【００１０】
図１は、本発明の一実施形態に係るパチンコ遊技機の要部の分解斜視図、図２は、同要部の正面図、図３は、同要部の分解側面図、図４及び図５は、表示パネルの組付説明図をそれぞれ示す。
【００１１】
図１〜図５において、１は、本体枠２に組み込まれる遊技盤を表している。遊技盤１の盤面には、誘導レール１１、釘１２、球排出口１３が配設されている。ただし、図１に示すように、通常のパチンコ遊技機に備えられた可変表示装置は設けていない。遊技盤１は、盤面上において遊技球が通過可能な位置に開口する多数の貫通孔１４を有しており、各貫通孔１４に、検出用基板３の前面に配設された、遊技球を検出するための通過検出スイッチ（遊技球位置検出手段）３１が収容される。通過検出スイッチ３１は、例えば、反射式のフォトセンサからなる。また、所定の貫通孔１４Ａには、遊技球の入賞口への入賞を検出するための入賞検出スイッチ３２が、盤面よりも前方位置に配置される。なお、本実施形態における入賞口は、遊技盤１の前面において遊技球が通過可能なゲート部で構成されており、従来のパチンコ遊技機の入賞口のように、遊技盤の前面で遊技球を受け止め、遊技球を遊技盤の貫通孔を経て遊技盤の後面側へ案内するよう構成された入賞口とは構成が相違している。なお、入賞検出スイッチ３２を通過した遊技球を遊技盤１の後面側へ案内するように構成してもよい。
【００１２】
遊技盤１の前方には表示パネル４及び保護板５が配される。表示パネル４は、例えばＥＬ（エレクトロルミネッセンス）パネルからなる。保護板５は、表示パネル４の裏側に配され、遊技球から表示パネル４を保護するための部材である。表示パネル４及び保護板５は、図４及び図５に示すように、本体枠２に対して開閉自在に取り付けられたガラス枠２１に着脱可能に装着される。
【００１３】
表示パネル４が行なう表示は、図示しない表示制御基板によって制御される。表示パネル４は、通常時は、現状のパチンコ遊技機を正面から見た状態の表示を行なう。つまり、表示パネル４は、通常時は、遊技盤１の盤面構成つまり釘１２、入賞口、可変表示装置の表示画面などに対応する盤面画像４１，４２，４３を表示する。換言すると、表示パネル４は、通常時には、可変表示部４３を含む盤面画像を表示する。ただし、本実施形態の入賞口は、上記のようにゲート部で構成されるため、表示パネル４における入賞口の表示画像４２は、通常のパチンコ遊技機の入賞口を画像で表示したものとなる。また、上記のように遊技盤１には可変表示装置が設けられていないが、表示パネル４には、可変表示装置の表示画面に対応する可変表示部４３を表示する。可変表示部４３は、通常のパチンコ遊技機の可変表示装置と同様に、始動入賞口例えば４２Ａへの遊技球の入賞を必要条件として図柄変動（例えば、各列が１〜９までの数字からなる左列、右列、中列において、各々、各数字を順に変動表示させる演出）、リーチ演出（例えば、左列と右列の数字が一致してリーチ状態が発生したときに行われる演出）、大当たり演出（リーチ発生後、例えば、左列と右列と中列の数字がすべて一致して大当たり状態が発生したときに行われる演出）などの演出表示を行なう。さらに、表示パネル４は、通過検出スイッチ３１による遊技球位置情報にしたがい、実際の遊技球の挙動に対応する遊技球挙動画像４４を盤面画像４１，４２，４３に重ねて表示する。
【００１４】
表示パネル４は、通常時は図１に示すようにパネル中央部に可変表示部４３を表示しておき、リーチ状態が発生したときには、可変表示部４３をパネル全体に拡大し、表示パネル全体でリーチ演出を行なうようにしてもよい。
【００１５】
また、表示パネル４は、大当たり中や客待ちモード中は、可変表示部４３において図柄変動を行なう必要がないため、表示パネル全体を使って演出表示（上記図柄変動以外の演出）を行なうようにしてもよい。
【００１６】
また、表示パネル４は、確変モードや時短モード中は、可変表示部４３以外の領域の色を変更するようにしてもよい（例えば、確変モード中は赤色、時短モード中は青色とする。）。また、残りの時短回数等を表示したり、電動チューリップが開くタイミングを表示する（電動チューリップが開く３秒前からカウントダウン表示を行なう）ようにしてもよい。
【００１７】
また、表示パネル４は、「右打ちしてください！」等の遊技方法に係る表示を行なうようにしてもよい。
【００１８】
また、表示パネル４は、実際の遊技球の挙動の結果（入賞した入賞球となったか、アウト球となったか）に基づいて表示を行なうが、表示するまでの間にタイムラグを設けて、例えば入賞した遊技球については色の違う遊技球の表示をしたり、アウト球となった遊技球については途中で遊技球が破裂するというような表示を行なうようにしてもよい。
【００１９】
また、表示パネル４において、羽根物（いわゆる第２種パチンコ遊技機）や権利物（いわゆる第３種パチンコ遊技機）の表示をしてもよい。
【００２０】
また、図６及び図７に示すように、表示パネル４の前後に保護板５Ａ，５Ｂを配設し、表示パネル４及び前後の保護板５Ａ，５Ｂを保持部材５１Ａ，５１Ｂ，５１Ｃ，５１Ｄで保持して表示ユニット６０をつくり、この表示ユニット６０を遊技盤１側の保持部材２１によって保持させるようにしてもよい。
【００２１】
以上説明したように、本実施形態のパチンコ遊技機は、遊技盤１の盤面上における実際の遊技球の挙動を検出するための遊技球位置検出手段３１と、遊技盤１の前方に配され、遊技盤１の盤面構成に対応する盤面画像４１，４２，４３を表示するとともに、遊技球位置検出手段３１による遊技球位置情報にしたがい、実際の遊技球の挙動に対応する遊技球挙動画像４４を盤面画像４１，４２，４３に重ねて表示する表示パネル４とを備える。このため、遊技球は表示パネル４が表示している盤面画像４１，４２，４３の後方を通過することになり、盤面画像４１，４２，４３における可変表示部４３の表示が遊技球によって見づらくなる不具合を解消することができる。また、実際の遊技球の挙動に基づいて表示パネル４に遊技球挙動画像４４を表示するようにしたため、遊技球挙動画像４４は実際の遊技球の挙動に対応したものとなり、遊技者はリアル感をもちながら遊技を行うことができる。
【図面の簡単な説明】
【００２２】
【図１】本発明の一実施形態に係るパチンコ遊技機の要部の分解斜視図である。
【図２】同要部の正面図である。
【図３】同要部の分解側面図である。
【図４】表示パネルの組付説明図である。
【図５】同じく表示パネルの組付説明図である。
【図６】さらに他の実施形態に係るパチンコ遊技機の要部分解斜視図である。
【図７】同パチンコ遊技機における表示ユニットの組付説明図である。
【符号の説明】
【００２３】
１    遊技盤
３１    通過検出スイッチ（遊技球位置検出手段）
４    表示パネル
４１，４２，４３    盤面画像
４３    可変表示部
４４    遊技球挙動画像                                                                               
【図１】
2005198889.tif 000003
【図２】
2005198889.tif 000004
【図３】
2005198889.tif 000005
【図４】
2005198889.tif 000006
【図５】
2005198889.tif 000007
【図６】
2005198889.tif 000008
【図７】
2005198889.tif 000009